(57)【要約】【課題】導光体の出射面の明るさの均一性を低くする。【解決手段】光源１０によって発せられた光を導光して前方へ出射する導光体２０が、出射側導光部４０と、出射側導光部４０の一方の側面の後部に凸状に設けられた側部導光部５０と、出射側導光部４０及び側部導光部５０の後面に形成された斜めな第一反射面７１と、側部導光部５０の前面に形成され、基準面に対して上向き且つ左向きに傾斜した第二反射面７２と、出射側導光部４０の他方の側面に形成された第三反射面７３と、出射側導光部４０の後面であって第一反射面の下に形成され、基準面に対して下向きに傾斜した第四反射面７４と、出射側導光部４０の前面に形成され出射面８０と、出射側導光部４０の他方の側面に設けられ、光源１０によって発せられた光を平行光にして取り込み、その光を第一反射面７１へガイドする入射側導光部３０と、を備える。【選択図】図１
2016009575.tif 000002
【特許請求の範囲】
【請求項１】
光源と、
前記光源によって発せられた光を導光して前方へ出射する導光体と、を備え、
前記導光体が、
出射側導光部と、
前記出射側導光部の一方の側面の後部に凸状に設けられた側部導光部と、
前記出射側導光部及び前記側部導光部の後面に形成され、上下左右で規定された基準面に対して前記側部導光部が突出する側に向けて傾斜した第一反射面と、
前記側部導光部の前面に形成され、前記第一反射面の前に配置され、前記基準面に対して上向き且つ前記側部導光部が突出する側に向けて傾斜した第二反射面と、
前記出射側導光部の他方の側面に形成された第三反射面と、
前記出射側導光部の後面であって前記第一反射面の下に形成され、前記基準面に対して下向きに傾斜した第四反射面と、
前記出射側導光部の前面に形成され、前記第一反射面及び前記第四反射面の前に配置された出射面と、
前記出射側導光部の他方の側面に設けられ、前記光源によって発せられた光を平行光にして取り込み、その光を前記第一反射面へガイドする入射側導光部と、を有する
ことを特徴とする灯具。
【請求項２】
光源によって発せられた光を導光して前方へ出射する導光体において、
出射側導光部と、
前記出射側導光部の一方の側面の後部に凸状に設けられた側部導光部と、
前記出射側導光部及び前記側部導光部の後面に形成され、上下左右で規定された基準面に対して前記側部導光部が突出する側に向けて傾斜した第一反射面と、
前記側部導光部の前面に形成され、前記第一反射面の前に配置され、前記基準面に対して上向き且つ前記側部導光部が突出する側に向けて傾斜した第二反射面と、
前記出射側導光部の他方の側面に形成された第三反射面と、
前記出射側導光部の後面であって前記第一反射面の下に形成され、前記基準面に対して下向きに傾斜した第四反射面と、
前記出射側導光部の前面に形成され、前記第一反射面及び前記第四反射面の前に配置された出射面と、
前記出射側導光部の他方の側面に設けられ、前記光源によって発せられた光を平行光にして取り込み、その光を前記第一反射面へガイドする入射側導光部と、を備える
ことを特徴とする導光体。
【発明の詳細な説明】
【技術分野】
【０００１】
本発明は、導光体及びその導光体を備える灯具に関する。
【背景技術】
【０００２】
特許文献１には、板状の導光体を用いた車両用灯具が開示されている。具体的には、発光ダイオードが導光体の下端面に対向し、発光ダイオードによって発せられた光が導光体の下端面によって導光体の内部に取り込まれる。その導光体の内部に取り込まれた光が導光体の上端に向けてガイドされる。その導光体の後面には複数の点刻が形成され、ガイドされる光が点刻によって導光体の前面に向けて反射され、その光が臨界角未満で導光体の前面に入射するので、その入射光が導光体の前面を通過して前方へ出射する。この特許文献１に記載の技術は、導光体の出射面の明るさの均一性を高くするものである。
【先行技術文献】
【特許文献】
【０００３】
【特許文献１】特開２０１２−３８４２４号公報
【発明の概要】
【発明が解決しようとする課題】
【０００４】
ところで、導光体の出射面のうち特定箇所を明るくして、他の箇所を暗くするようなことも要請されている。
そこで、本発明が解決しようとする課題は、導光体の出射面の明るさの均一性を低くすることである。
【課題を解決するための手段】
【０００５】
以上の課題を解決するために、請求項１に係る発明は、光源と、前記光源によって発せられた光を導光して前方へ出射する導光体と、を備え、前記導光体が、出射側導光部と、前記出射側導光部の一方の側面の後部に凸状に設けられた側部導光部と、前記出射側導光部及び前記側部導光部の後面に形成され、上下左右で規定された基準面に対して前記側部導光部が突出する側に向けて傾斜した第一反射面と、前記側部導光部の前面に形成され、前記第一反射面の前に配置され、前記基準面に対して上向き且つ前記側部導光部が突出する側に向けて傾斜した第二反射面と、前記出射側導光部の他方の側面に形成された第三反射面と、前記出射側導光部の後面であって前記第一反射面の下に形成され、前記基準面に対して下向きに傾斜した第四反射面と、前記出射側導光部の前面に形成され、前記第一反射面及び前記第四反射面の前に配置された出射面と、前記出射側導光部の他方の側面に設けられ、前記光源によって発せられた光を平行光にして取り込み、その光を前記第一反射面へガイドする入射側導光部と、を有することを特徴とする灯具である。
【０００６】
請求項２に係る発明は、光源によって発せられた光を導光して前方へ出射する導光体において、出射側導光部と、前記出射側導光部の一方の側面の後部に凸状に設けられた側部導光部と、前記出射側導光部及び前記側部導光部の後面に形成され、上下左右で規定された基準面に対して前記側部導光部が突出する側に向けて傾斜した第一反射面と、前記側部導光部の前面に形成され、前記第一反射面の前に配置され、前記基準面に対して上向き且つ前記側部導光部が突出する側に向けて傾斜した第二反射面と、前記出射側導光部の他方の側面に形成された第三反射面と、前記出射側導光部の後面であって前記第一反射面の下に形成され、前記基準面に対して下向きに傾斜した第四反射面と、前記出射側導光部の前面に形成され、前記第一反射面及び前記第四反射面の前に配置された出射面と、前記出射側導光部の他方の側面に設けられ、前記光源によって発せられた光を平行光にして取り込み、その光を前記第一反射面へガイドする入射側導光部と、を備えることを特徴とする導光体である。
【発明の効果】
【０００７】
本発明によれば、光源によって発せられた光が第一反射面によって第二反射面及び出射面に向けて反射される。出射面に向けて反射された光は出射面を通過して出射面の前方へ出射する。特に、出射面に向けて反射された光は出射面のうち第一反射面の前側の領域から出射する。第二反射面によって向けて反射された光は第二反射面によって第三反射面に向けて反射され、その反射光は更に第三反射面によって第四反射面に向けて反射される。第四反射面に向けて反射された光は第四反射面によって出射面に向けて反射される。第四反射面によって反射された光は出射面を通過して出射面の前方へ出射する。
第四反射面が第一反射面の下側にあるので、第四反射面によって出射面に向けて反射された光は出射面のうち第四反射面の前側の領域から出射する。
第一反射面、第二反射面、第三反射面及び第四反射面を経由する光は、第一反射面から出射面に向かう光よりも長距離の経路を通って出射面に至る。よって、出射面のうち第一反射面の前方の領域である上部が、第四反射面の前方の領域の下部よりも明るくなる。よって、導光体の出射面の明るさの均一性を低くなる。
また、光源の光が第一反射面、第二反射面、第三反射面及び第四反射面によって上下に散らされて、出射面から出射するので、光源のパワー及び光を有効利用することができる。
【図面の簡単な説明】
【０００８】
【図１】灯具の正面図である。
【図２】灯具の側面図である。
【図３】III−III断面図である。
【図４】灯具の斜視図である。
【図５】灯具の斜視図である。
【図６】灯具の斜視図である。
【図７】灯具の斜視図である。
【図８】灯具の斜視図である。
【図９】導光体の斜視図である。
【発明を実施するための形態】
【０００９】
以下に、本発明を実施するための形態について図面を用いて説明する。但し、以下に述べる実施形態には、本発明を実施するために技術的に好ましい種々の限定が付されている。そのため、本発明の技術的範囲を以下の実施形態及び図示例に限定するものではない。
【００１０】
図１〜図１０を参照して、灯具１について説明する。灯具１によって照明する向きを「前」とし、「左」と「右」は灯具１の後ろから前に向かって見た場合の左と右のことをいう。また、「上下方向」は必ずしも鉛直方向をいうのではなく、「下向き」は必ずしも重力の働く向きをいうものではない。
【００１１】
図１は灯具１の正面図である。図２は灯具１の側面図である。図３はIII−III断面図である。図４は灯具１を右上前から見て示した斜視図である。図５は灯具１を左上前から見て示した斜視図である。図６は灯具１を右下前から見て示した斜視図である。図７は灯具１を右下前から見て示した斜視図である。図９は灯具１を左上後ろから見て示した斜視図である。図１０は灯具１の導光体２０を図９と同一方向から見て示した斜視図である。
【００１２】
灯具１は光源１０及び導光体２０等を備える。
光源１０は半導体発光素子（例えば、発光ダイオード（ＬＥＤ）、有機発光ダイオード（ＯＬＥＤ））である。この光源１０が基板１１に表面実装されている。そして、光源１０が前向きに設けられ、光源１０の光軸Ａｘ１が光源１０から前方へ延びる。光源１０の光軸Ａｘ１とは、光源１０によって発せられた光の空間的光度分布（配光）のうち最大光度の向きに光源１０から延びる仮想的な線をいう。
なお、半導体発光素子の代わりに電球又は放電灯を光源１０に用いてもよい。
【００１３】
導光体２０は光源１０によって発せられた光をガイドして、その光を前方へ照射して配光させるものである。この導光体２０は入射側導光部３０、出射側導光部４０、側部導光部５０、第一反射面７１、第二反射面７２、第三反射面７３、第四反射面７４及び出射面８０等を備える。
【００１４】
出射側導光部４０は台形の平板状に設けられており、出射側導光部４０の一方の側面と他方の側面が互いに平行である。側部導光部５０が出射側導光部４０の一方の側面の後部から左側へ突出するように設けられている。入射側導光部３０が出射側導光部４０の他方の側面の後部から右側へ突出するように設けられている。入射側導光部３０、出射側導光部４０及び側部導光部５０は一体形成されているとともに、透明な材料からなる。第一反射面７１は出射側導光部４０の後面の上部及び側部導光部５０の後面に形成されている。第二反射面７２は、側部導光部５０の前面に形成されている。第三反射面７３は出射側導光部４０の他方の側面に形成されている。第四反射面７４は出射側導光部４０の後面の下部に形成されている。出射面８０は出射側導光部４０の前面に形成されている。第一反射面７１、第二反射面７２、第三反射面７３、第四反射面７４及び出射面８０は何れも平面である。
【００１５】
入射側導光部３０は、光源１０によって発せられた光を平行ビームにして取り込み、その平行ビームを左向きに方向変換して第一反射面７１へガイドする。まず、入射側導光部３０の構成について説明する。
入射側導光部３０の後面には、光源１０によって発せられた光を取り込むとともにその光を平行ビームにする取込部３１が設けられている。その取込部３１は第一入射面３２、第二入射面３３及び反射面３４を有する。
【００１６】
第一入射面３２は、入射側導光部３０の後面に形成されているとともに、光源１０に向けて膨出する凸面状に形成されている。第一入射面３２は光源１０に対向する。第一入射面３２は光源１０の光軸Ａｘ１回りに回転対称な面である。光源１０によって発せられた光が第一入射面３２によって入射側導光部３０の内部に取り込まれる。その光が第一入射面３２を通過する際に第一入射面３２によって屈折されて前向きの平行ビームになる。
【００１７】
第二入射面３３は、第一入射面３２の外周縁から光源１０側へ立ち上がった面である。第二入射面３３は、光源１０の光軸Ａｘ１回りに回転対称な面であり、より具体的には円柱面又は円錐面に形作られている。又は、第二入射面３３は、その円柱面又は円錐面を基調とした自由曲面である。第二入射面３３が円錐面又はその自由曲面である場合には、その頂点は第一入射面３２の更に前方に設定される。
【００１８】
反射面３４は、第二入射面３３の外側（光源１０の光軸Ａｘ１から離れる方）を囲うように設けられている。反射面３４は、光源１０の光軸Ａｘ１回りに回転対称な面である。反射面３４は、第二入射面３３の後縁から前へ向かって外側に広がった錐面状に形成されている。光源１０によって発せられた光が第二入射面３３によって入射側導光部３０の内部に取り込まれ、その取り込まれた光が反射面３４によって前方へ反射される。第二入射面３３に取り込まれる光は、第二入射面３３による屈折と反射面３４による反射とによって、前向きの平行ビームになる。
【００１９】
取込部３１によって取り込まれた平行ビームの向きを前向きから左向きに変えるべく、反射面４１〜４７が入射側導光部３０に形成されている。
反射面４１〜４３は入射側導光部３０の前面に形成されている。
反射面４１は、光源１０の光軸Ａｘ１に対して直交する平面（以下、第一基準面という。この第一基準面は上下左右で規定された面である。）に対して右向きに４５°の角度で傾斜する。つまり、反射面４１は、上から見て第一基準面を上下方向の軸の時計回りに４５°回転することによって得られた平面である。
反射面４２は、第一基準面に対して下向きに４５°の角度で傾斜する。つまり、反射面４２は、右から見て第一基準面を左右方向の軸の時計回りに４５°回転することによって得られた平面である。
反射面４３は、第一基準面に対して上向きに４５°の角度で傾斜する。つまり、反射面４３は、右から見て第一基準面を左右方向の軸の反時計回りに４５°回転することによって得られた平面である。
【００２０】
反射面４１は光源１０の光軸Ａｘ１の左側に配置され、反射面４２は光源１０の光軸Ａｘ１の上側に配置され、反射面４３は光源１０の光軸Ａｘ１の下側に配置されている。反射面４２が反射面４１の右上に隣接し、反射面４３が反射面の右下に隣接する。これら反射面４１〜４３と光源１０の光軸Ａｘ１は一点で交わる。
【００２１】
反射面４６，４７は入射側導光部３０の前面から側面にかけて形成されている。反射面４６，４７は反射面４１に対して平行な平面である。反射面４６が光源１０の光軸Ａｘ１の上側に配置され、反射面４７が光源１０の光軸Ａｘ１の下側に配置されている。反射面４６が反射面４２の右上に隣接し、反射面４７が反射面４３の右下に隣接する。
【００２２】
反射面４４が入射側導光部３０の上面から側面にかけて形成され、反射面４５が入射側導光部３０の下面から側面にかけて形成されている。反射面４４は、第一基準面に直交するとともに上下方向に対して平行な平面（以下、第二基準面という。この第二基準面は上下前後で規定された面である。）に対して上向きに４５°の角度で傾斜する。つまり、反射面４４は、前から見て第二基準面を前後方向の軸の時計回りに４５°回転することによって得られた平面である。反射面４５は、第二基準面に対して下向きに４５°の角度で傾斜する。つまり、反射面４５は、前から見て第二基準面を前後方向の軸の反時計回りに４５°回転することによって得られた平面である。
【００２３】
反射面４４が光源１０の光軸Ａｘ１の上側に配置され、反射面４５が光源１０の光軸Ａｘ１の下側に配置されている。反射面４４が反射面４６の上に隣接し、反射面４５が反射面４３の下に隣接する。更に反射面４４は反射面４２の上方に配置され、反射面４５が反射面４３の下方に配置されている。
【００２４】
取込部３１によって取り込まれた平行ビームの一部が反射面４１，４６，４７によって第一反射面７１に向けて反射される。取込部３１によって取り込まれた平行ビームの一部が反射面４２によって上に向けて反射され、反射面４２によって反射された平行ビームが反射面４４によって第一反射面７１に向けて反射される。取込部３１によって取り込まれた平行ビームの一部が反射面４３によって下に向けて反射され、反射面４３によって反射された平行ビームが反射面４５によって第一反射面７１に向けて反射される。
【００２５】
このような反射面４１〜４７が入射側導光部３０に形成されているので、取込部３１によって取り込まれた平行ビームを余すことなく第一反射面７１へガイドすることができる。このような反射面４１〜４７によって平行ビームが反射されると、第一反射面７１に向かう平行ビームの断面形状を長方形にすることができ、その長方形は上下方向の長さが前後方向の長さよりも長い。
【００２６】
続いて、反射面７１〜７４及び出射面８０について説明する。
第一反射面７１は、第一基準面に対して右向きに４５°の角度で傾斜する。第一反射面７１は、上から見て第一基準面を上下方向の軸の時計回りに４５°回転することによって得られた平面である。従って、第一反射面７１は、反射面４１，４６，４７に対して平行である。
【００２７】
第二反射面７２は第一反射面７１の前方に配置されている。第二反射面７２は、第一基準面に対して左向きに傾斜した上で、更に上向きに傾斜する。つまり、第二反射面７２は、上から見て第一基準面を上下方向の軸の反時計回りに０°を超え９０°未満の角度だけ回転して、更に左から見て左右方向の軸の時計回りに０°を超え９０°未満の角度だけ回転することによって得られた平面である。
【００２８】
第三反射面７３は第二反射面７２の左方に配置されている。第三反射面７３は、上下前後で規定された平面である。つまり、第三反射面７３は、第一基準面に対して直交するとともに、第二基準面に対して平行である。
【００２９】
第四反射面７４は第二反射面７２の後方に配置されている。また、第四反射面７４は第一反射面７１の下に隣接する。第四反射面７４は第一基準面に対して下向きに傾斜する。つまり、第四反射面７４は、左から見て第一基準面を左右方向の軸の時計回りに０°を超え９０°未満の角度だけ回転することによって得られた平面である。ここで、左から見て左右方向の軸の時計回りに第四反射面７４の回転角は、左から見て左右方向の軸の時計回りに第二反射面７２の回転角よりも大きい。
【００３０】
出射面８０は第一反射面７１及び第四反射面７４の前方に配置されている。出射面８０は第一基準面に対して平行な面である。
【００３１】
入射側導光部３０によってガイドされた左向きの平行ビームが第一反射面７１によって前へ反射される。第一反射面７１によって反射された光の一部が出射側導光部４０によって出射面８０の上部にまでガイドされ、その光が出射面８０の上部から前方へ出射する。
【００３２】
第一反射面７１によって反射された光の一部が第二反射面７２によって第三反射面７３に向けて反射される。第二反射面７２によって反射された光が第三反射面７３によって第四反射面７４に向けて反射される。第三反射面７３によって反射された光が第四反射面７４によって前へ反射される。第四反射面７４によって反射された光が出射側導光部４０によって出射面８０の下部にまでガイドされ、その光が出射面８０の下部から前方へ出射する。
【００３３】
第一反射面７１、第二反射面７２、第三反射面７３及び第四反射面７４を経由する光は、第一反射面７１から出射面８０に向かう光よりも長距離の経路を通って出射面８０に至る。出射面８０のうち上部から出射する光が第一反射面７１の反射光であるため、その光が明るい。出射面８０のうち下部から出射する光が第一反射面７１、第二反射面７２、第三反射面７３及び第四反射面７４を経由した反射光であるため、その光が暗い。よって、出射面８０の明るさは、上から下に向けて漸減するようにグラデーションになっている。
【００３４】
本実施形態によれば、次のような効果を奏する。
（１）  光源１０が点灯すると、その出射面８０の上部から出射した光の光度が高く、出射面８０のうち上部が明るく光る。例えば、出射面８０のうち上部から出射する光は高光度が要求される部分に照準を合わせればよい。
【００３５】
（２）  光源１０が点灯すると、その出射面８０の下部から出射した光の光度が低く、出射面８０のうち上部がそれ程明るくは光らない。しかし、出射面８０の全体が光るようになる。出射面８０の上下方向の長さは、光源１０の上下方向の長さよりも長い上、更に入射側導光部３０及び第一反射面７１の上下方向の長さよりも長い。そのような上下に長い出射面８０の全体から光が出射するので、光源１０のパワー及び光を効率よく利用することができる。また、灯具１の発光面積を広くすることができる。
【００３６】
（３）  この灯具１は昼間走行灯に適している。なお、この灯具１を昼間走行灯以外の信号灯（例えば、車幅灯、尾灯、制動灯、方向指示灯、後退灯）に利用してもよい。
【符号の説明】
【００３７】
１  灯具
１０  光源
２０  導光体
３０  入射側導光部
４０  出射側導光部
５０  側部導光部
７１  第一反射面
７２  第二反射面
７３  第三反射面
７４  第四反射面
８０  出射面
【図１】
2016009575.tif 000003
【図２】
2016009575.tif 000004
【図３】
2016009575.tif 000005
【図４】
2016009575.tif 000006
【図５】
2016009575.tif 000007
【図６】
2016009575.tif 000008
【図７】
2016009575.tif 000009
【図８】
2016009575.tif 000010
【図９】
2016009575.tif 000011